(57)【要約】      （修正有）【課題】光学系の沈胴厚および全長を薄くした場合であっても、諸収差、特に色収差が良好に補正された結像光学系及びそれを有する撮像装置を提供する。【解決手段】正の第１レンズ群と、負の第２レンズ群と、合成屈折力が正である第３レンズ群以降のレンズ群とを有し、前記第１レンズ群が、物体側から順に、正レンズ１枚と負レンズ１枚の張り合わせレンズからなる結像光学系において、条件式0.05＜Ｔ１ｇ／Ｆｌｔ＜0.10、0.50＜θgF＜0.75を満足する。ここで、Ｔ１ｇは前記第１レンズ群の光軸上の厚さ、Ｆｌｔは望遠端での前記結像光学系の焦点距離、θgFは前記負レンズの部分分散比（ｎg1−ｎF1）／（ｎF1−ｎC1）、ｎd1、ｎC1、ｎF1、ｎg1は各々、前記負レンズのｄ線、Ｃ線、Ｆ線、ｇ線の屈折率を表す。【選択図】図１
2010107573.tif 000002
【特許請求の範囲】
【請求項１】
正の第１レンズ群と、負の第２レンズ群と、前記負の第２レンズ群よりも像側に配置された像側レンズ群を有し、
前記像側レンズ群は、合成屈折力が正屈折力であり、
前記第１レンズ群が、物体側から順に、正レンズ１枚と負レンズ１枚の張り合わせレンズからなり、
以下の条件式（１−１）、（２−１）を満足することを特徴とする結像光学系。
0.05＜Ｔ１ｇ／Ｆｌｔ＜0.10  …（１−１）
0.50＜θgF＜0.75            …（２−１）
ここで、
Ｔ１ｇは前記第１レンズ群の光軸上の厚さ、
Ｆｌｔは望遠端での前記結像光学系全系の焦点距離、
θgFは前記負レンズの部分分散比（ｎg1−ｎF1）／（ｎF1−ｎC1）、
ｎC1、ｎF1、ｎg1は各々、前記負レンズのＣ線、Ｆ線、ｇ線の屈折率を表す。
【請求項２】
以下の条件式（１−２）、（２−２）を満足することを特徴とする請求項１に記載の結像光学系。
0.07＜Ｔ１ｇ／Ｆｌｔ＜0.09  …（１−２）
0.52＜θgF＜0.73            …（２−２）
【請求項３】
以下の条件式（３−１）と（４−１）を満足することを特徴とする請求項１または請求項２に記載の結像光学系。
1.50＜ｎd1＜1.70  …（３−１）
16＜νd1＜28      …（４−１）
ここで、
ｎd1は前記負レンズのｄ線の屈折率、
νd1は前記負レンズのアッベ数（ｎd１−1）／（ｎF１−ｎC１）、
ｎC1、ｎF1、ｎg1は各々、前記負レンズのＣ線、Ｆ線、ｇ線の屈折率を表す。
【請求項４】
条件式（３−２）と（４−２）を満足することを特徴とする請求項３に記載の結像光学系。
1.57＜ｎd1＜1.67  …（３−２）
19＜νd1＜26      …（４−２）
【請求項５】
条件式（３−１）、（５−１）および（６−１）を満足することを特徴とする請求項１または請求項２に記載の結像光学系。
1.50＜ｎd1＜1.70  …（３−１）
0.54＜θgF＜0.72  …（５−１）
0.51＜θhg＜0.68  …（６−１）
ここで、
ｎd1は前記負レンズのｄ線に対する屈折率、
θgFは前記負レンズの部分分散比（ｎｇ1−ｎＦ1）／（ｎF1−ｎC1）、
θhgは前記負レンズの部分分散比（ｎｈ1−ｎｇ1）／（ｎF1−ｎC1）、
ｎＦ1、ｎC1、ｎｈ1、ｎg1は各々、前記負レンズのＦ線、Ｃ線、ｈ線、ｇ線の屈折率を表す。
【請求項６】
以下の条件式（３−１）、（５−２）および（６−２）を満足することを特徴とする請求項５に記載の結像光学系。
1.50＜ｎd1＜1.70         …（３−１）
0.645＜θgF＜0.68        …（５−２）
0.605＜θhg＜0.645       …（６−２）
【請求項７】
前記第１レンズ群の前記正レンズと前記負レンズの境界面が非球面であることを特徴とする請求項１〜６のいずれか一項に記載の結像光学系。
【請求項８】
前記非球面の形状が、光軸から離れるほど近軸の曲率に比べ曲率が小さくなる形状であることを特徴とする請求項７に記載の結像光学系。
【請求項９】
以下の条件式（７）を満足することを特徴とする請求項１〜６のいずれか一項に記載の結像光学系。
1.70＜ｎd2＜1.85  …（７）
ここで、
ｎd2は前記正レンズのｄ線に対する屈折率である。
【請求項１０】
以下の条件式（８）を満足することを特徴とする請求項１〜６のいずれか一項に記載の結像光学系。
55＜νd2＜75  …（８）
ここで、
νｄ2は前記正レンズのアッベ数（ｎd２−1）／（ｎF２−ｎC２）、
nd2、ｎＦ２、ｎC２は各々、前記正レンズのｄ線、Ｆ線、Ｃ線の屈折率を表す。
【請求項１１】
前記第１レンズ群の前記負レンズが樹脂からなることを特徴とする請求項１〜６のいずれか一項に記載の結像光学系。
【請求項１２】
前記樹脂はエネルギー硬化型樹脂であることを特徴とする請求項１１に記載の結像光学系。
【請求項１３】
前記樹脂は紫外線硬化型樹脂であることを特徴とする請求項１２に記載の結像光学系。
【請求項１４】
前記第２レンズ群が、物体側から順に、正レンズ１枚と負レンズ１枚からなる接合レンズを含むことを特徴とする請求項１〜６のいずれか一項に記載の結像光学系。
【請求項１５】
前記像側レンズ群が第３レンズ群を有し、
前記第３レンズ群が、物体側から順に、正レンズ１枚と、正レンズ１枚と負レンズ１枚の接合レンズとからなることを特徴とする請求項１〜６のいずれか一項に記載の結像光学系。
【請求項１６】
前記像側レンズ群が最終レンズ群を有し、
最終レンズ群は正の屈折力を有することを特徴とする請求項１〜６のいずれか一項に記載の結像光学系。
【請求項１７】
前記最終レンズ群を光軸方向に動かすことによってフォーカシングすることを特徴とする請求項１６に記載の結像光学系。
【請求項１８】
前記最終レンズ群は正レンズ１枚からなることを特徴とする請求項１７に記載の結像光学系。
【請求項１９】
前記最終レンズ群は樹脂からなることを特徴とする請求項１７に記載の結像光学系。
【請求項２０】
請求項１〜１９のいずれか一項に記載の結像光学系を含むことを特徴とする電子撮像装置。
【発明の詳細な説明】
【技術分野】
【０００１】
本発明は、結像光学系及びそれを有する電子撮像装置に関するものである。
【背景技術】
【０００２】
近年、コンパクトカメラの薄型化がますます進み、薄いカメラ筐体に収めるために光学系に対しても薄型化が求められている。コンパクトカメラでは、使用後には光学系を沈胴させて筐体内に収納する。このため、カメラ筐体が薄くなれば、それに伴い沈胴厚も薄くする必要がある。
【０００３】
光学系を沈胴させるためには、光学系の鏡枠は複数の段に分割して伸び縮みできるようにする。この時、沈胴厚が薄くなると、分割した各鏡枠の長さも短くすることになる。したがって、沈胴させるときの段数が増えてしまう。これにより、光学系を長く伸ばしたときに鏡枠全体が重力で変形しやすくなり、光学系の偏心が起こりやすくなる。そのため、鏡枠の分割する間隔は短くしつつ、分割数も少なくするために、光学系の全長を短縮する必要がある。
【０００４】
このような要求に応える光学系としては、沈胴時の薄型化と全長短縮が特に重要である。薄型化のための構成は、例えば特許文献１、特許文献２に提案されている。
【０００５】
特許文献１実施例４、６、７では、第１レンズ群を単レンズにて構成している。ここで、特に光学系全長を短縮すると、一般的に第１レンズ群のパワーが増大する。このために、軸上の色収差や倍率の色収差などの色収差が大きく発生し、画質の低下を招く。
【０００６】
色収差の発生を抑えるためには、最低２枚のレンズが必要（正レンズと負レンズ）となる。しかしながら、２枚のレンズを使うと、単レンズで構成する場合に比べて光学系の厚みが厚くなってしまう。そこで、極力薄くするために２枚のレンズは接合されることが多い。
【０００７】
このような光学系として、例えば特許文献２に開示された光学系がある。この光学系は、第１レンズ群が、物体側から順に、正レンズ、負レンズの接合レンズからなっている。この接合レンズは、従来、それぞれのレンズを加工後に接合している。そこで、このような接合レンズでは、加工上、２枚のレンズが共にある程度の厚さを持つ必要がある。このため、接合レンズの厚さ及び沈胴時の光学系の厚さも厚くなる。
【０００８】
また、このような接合レンズでは、重量も大きくなりやすい。全長が可変の光学系では、一般に１つのレンズ群は移動量が多い。その１つのレンズ群が重いと、駆動系（モーターなど）が大きくなってしまい、カメラ全体のサイズも大きくなってしまう。
【０００９】
【特許文献１】特開平１１-２５８５０７号公報
【特許文献２】特開２００７-７２１１７号公報
【発明の開示】
【発明が解決しようとする課題】
【００１０】
また、特許文献２の光学系において、従来の接合レンズを用いると、第１レンズ群の厚みが厚くなる。すると、第２レンズ群のパワーが増大するか、又は第３レンズ群以降の合成レンズ系の変倍負担が増大する。このため、特に変倍時のコマ収差、非点収差が発生しやすくなる。
【００１１】
そして、一般的に低分散材料の部分分散比θgFは小さく、高分散材料のθgFは大きい。このため、C線とF線の２波長間で色収差が補正できても、その他の波長で残存色収差（これを２次スペクトルという。）が大きくなりやすい。
【００１２】
本発明は、上記に鑑みてなされたものであって、光学系の沈胴厚および全長を薄くした場合であっても、諸収差、特に色収差が良好に補正された結像光学系及びそれを有する撮像装置を提供することを目的とする。
【課題を解決するための手段】
【００１３】
上述した課題を解決し、目的を達成するために、本発明によれば、正の第１レンズ群と、負の第２レンズ群と、前記負の第２レンズ群よりも像側に配置された像側レンズ群を有し、前記像側レンズ群は、合成屈折力が正屈折力であり、前記第１レンズ群が、物体側から順に、正レンズ１枚と負レンズ１枚の張り合わせレンズからなり、以下の条件式（１−１）、（２−１）を満足することを特徴とする結像光学系を提供できる。
0.05＜Ｔ１ｇ／Ｆｌｔ＜0.10  …（１−１）
0.50＜θgF＜0.75            …（２−１）
ここで、
Ｔ１ｇは前記第１レンズ群の光軸上の厚さ、
Ｆｌｔは望遠端での前記結像光学系全系の焦点距離、
θgFは前記負レンズの部分分散比（ｎg1−ｎF1）／（ｎF1−ｎC1）、
ｎC1、ｎF1、ｎg1は各々、前記負レンズのＣ線、Ｆ線、ｇ線の屈折率を表す。
【００１４】
また、本発明の好ましい態様によれば、前記結像光学系は、以下の条件式（１−２）、（２−２）を満足することが望ましい。
0.07＜Ｔ１ｇ／Ｆｌｔ＜0.09  …（１−２）
0.52＜θgF＜0.73            …（２−２）
【００１５】
また、本発明の好ましい態様によれば、前記結像光学系は、以下の条件式（３−１）と（４−１）を満足することが望ましい。
1.50＜ｎd1＜1.70  …（３−１）
16＜νd1＜28      …（４−１）
ここで、
ｎd1は前記負レンズのｄ線の屈折率、
νd1は前記負レンズのアッベ数（ｎd１−1）／（ｎF１−ｎC１）、
ｎC1、ｎF1、ｎg1は各々、前記負レンズのＣ線、Ｆ線、ｇ線の屈折率を表す。
【００１６】
また、本発明の好ましい態様によれば、前記結像光学系は、条件式（３−２）と（４−２）を満足することが望ましい。
1.57＜ｎd1＜1.67  …（３−２）
19＜νd1＜26      …（４−２）
【００１７】
また、本発明の好ましい態様によれば、前記結像光学系は、条件式（３−１）、（５−１）および（６−１）を満足することが望ましい。
1.50＜ｎd1＜1.70  …（３−１）
0.54＜θgF＜0.72  …（５−１）
0.51＜θhg＜0.68  …（６−１）
ここで、
ｎd1は前記負レンズのｄ線に対する屈折率、
θgFは前記負レンズの部分分散比（ｎｇ1−ｎＦ1）／（ｎF1−ｎC1）、
θhgは前記負レンズの部分分散比（ｎｈ1−ｎｇ1）／（ｎF1−ｎC1）、
ｎＦ1、ｎC1、ｎｈ1、ｎg1は各々、前記負レンズのＦ線、Ｃ線、ｈ線、ｇ線の屈折率を表す。
【００１８】
また、本発明の好ましい態様によれば、前記結像光学系は、以下の条件式（３−１）、（５−２）および（６−２）を満足することが望ましい。
1.50＜ｎd1 ＜1.70        …（３−１）
0.645＜θgF＜0.68        …（５−２）
0.605＜θhg＜0.645       …（６−２）
【００１９】
また、本発明の好ましい態様によれば、前記結像光学系は、前記第１レンズ群の前記正レンズと前記負レンズの境界面が非球面であることが望ましい。
【００２０】
また、本発明の好ましい態様によれば、前記結像光学系は、前記非球面の形状が、光軸から離れるほど近軸の曲率に比べ曲率が小さくなる形状であることが望ましい。
【００２１】
また、本発明の好ましい態様によれば、前記結像光学系は、条件式（７）を満足することが望ましい。
1.70＜ｎd2＜1.85  …（７）
ここで、
ｎd2は前記正レンズのｄ線に対する屈折率である。
【００２２】
また、本発明の好ましい態様によれば、前記結像光学系は、条件式（８）を満足することが望ましい。
55＜νd＜75  …（８）
ここで、
νｄ2は前記正レンズのアッベ数（ｎd２−1）／（ｎF２−ｎC２）、
nd2、ｎＦ２、ｎC２は各々、前記正レンズのｄ線、Ｆ線、Ｃ線の屈折率を表す。
【００２３】
また、本発明の好ましい態様によれば、前記第１レンズ群の前記負レンズが樹脂からなることが望ましい。
【００２４】
また、本発明の好ましい態様によれば、前記樹脂はエネルギー硬化型樹脂であることが望ましい。
【００２５】
また、本発明の好ましい態様によれば、前記樹脂は紫外線硬化型樹脂であることが望ましい。
【００２６】
また、本発明の好ましい態様によれば、前記第２レンズ群が、物体側から順に、正レンズ１枚と負レンズ１枚からなる接合レンズを含むことが望ましい。
【００２７】
また、本発明の好ましい態様によれば、前記像側レンズ群が第３レンズ群を有し、前記第３レンズ群が、物体側から順に、正レンズ１枚と、正レンズ１枚と負レンズ１枚の接合レンズとからなることが望ましい。
【００２８】
また、本発明の好ましい態様によれば、前記像側レンズ群が最終レンズ群を有し、最終レンズ群は正の屈折力を有することが望ましい。
【００２９】
また、本発明の好ましい態様によれば、前記最終レンズ群を光軸方向に動かすことによってフォーカシングすることが望ましい。
【００３０】
また、本発明の好ましい態様によれば、前記最終レンズ群は正レンズ１枚からなることが望ましい。
【００３１】
また、本発明の好ましい態様によれば、前記最終レンズ群は樹脂からなることが望ましい。
【００３２】
また、本発明によれば、上述の結像光学系を含むことを特徴とする撮像装置を提供できる。
【発明の効果】
【００３３】
本発明によれば、光学系の小型化・薄型化の達成及び色収差を中心とした諸収差の良好な補正の達成を両立できる結像光学系とそれを有する撮像装置を得ることができるという効果を奏する。
【発明を実施するための最良の形態】
【００３４】
実施例の説明に先立ち、本実施形態の結像光学系の作用効果について説明する。なお、以下の説明において、正レンズとは近軸焦点距離が正の値のレンズ、負レンズとは近軸焦点距離が負の値のレンズのことである。
【００３５】
本実施形態の結像光学系は、第１レンズ群のパワー（屈折力）が正、第２レンズ群のパワーが負、負の第２レンズ群よりも像側に配置された像側レンズ群の合成のパワーが正であり、第１レンズ群が物体側から順に正レンズ１枚と負レンズ１枚の張り合わせレンズからなる光学系である。そして、以下の条件式（１−１）、（２−１）を満足することを特徴とする。
0.05＜Ｔ１ｇ／Ｆｌｔ＜0.10  …（１−１）
0.50＜θgF＜0.75            …（２−１）
ここで、
Ｔ１ｇは第１レンズ群の光軸上の厚さ、
Ｆｌｔは望遠端での前記結像光学系全系の焦点距離、
θgFは前記負レンズの部分分散比（ｎg1−ｎF1）／（ｎF1−ｎC1）、
ｎC1、ｎF1、ｎg1は各々、前記負レンズのＣ線、Ｆ線、ｇ線の屈折率を表す。
【００３６】
条件式（１−１）を満たすと、第１レンズ群の厚さは望遠端の焦点距離に比べて小さくなる。そのため、光学系を沈胴させたときの厚さも薄くなる。同時に、色収差を含む各収差を良好に補正できるほか、変倍にともなう収差変動を良好に抑えることができる。
【００３７】
条件式（１−１）の上限を上回ると、第１レンズ群の厚さが厚くなるので、沈胴厚を小さくできなくなる。条件式（１−１）の下限を下回ると、第１レンズ群の厚さは非常に薄くなる。しかしながら、その分、正レンズのフチ肉も薄くなり、加工や取り扱いが困難になる。それを防ぐためフチ肉を厚くすると、正レンズと負レンズとの接合面の曲率半径を大きくしなければならず、色収差が悪化する。
【００３８】
また、条件式（２−１）を満たすと、短波長域における２次スペクトルの発生を抑えることができる。ここで、短波長域における２次スペクトル、すなわち、C線とF線の２波長間で色消しをしたときのｇ線の残存色収差は、画像のコントラストに影響する。そこで、条件式（２−１）を満たすと、コントラストの高い画像を得られる。
【００３９】
条件式（２−１）の上限を上回ると、２次スペクトルの発生が大きくなるので、コントラストの高い画像を得られなくなる。条件式（２−１）の下限を下回ると、正レンズのθgFとの差が大きくなってしまうので、短波長で色収差を良好に補正できなくなってしまう。また、材料の製作が困難になってしまう。
【００４０】
なお、本実施形態の結像光学系は、以下の条件式（１−２）、（２−２）を満足するとさらに望ましい。
0.07＜Ｔ１ｇ／Ｆｌｔ＜0.09  …（１−２）
0.52＜θgF＜0.73            …（２−２）
【００４１】
条件式（１−２）を満たすと、色収差を抑えつつ、更に第１レンズ群の厚さを薄くできる。また、条件式（２−２）を満たすと、さらに２次スペクトルと短波長での色収差の発生を抑えることができるので、よりコントラストの高い画像が得られる。
【００４２】
以上のように、条件式（１−１）と（２−１）、より好ましくは（１−２）と（２−２）を満たすと、色収差などを悪化させることなく第１レンズ群の厚さや沈胴厚、光学系全長を薄くできる。その結果、高画質な画像を得られる薄型なカメラを得ることができる。
【００４３】
また、本実施形態の結像光学系は、以下の条件式（３−１）と（４−１）を満足すると好ましい。
1.50＜ｎd1＜1.70  …（３−１）
16＜νd1＜28      …（４−１）
ここで、
ｎd1は前記負レンズのｄ線の屈折率、
νｄ1は前記負レンズのアッベ数（ｎd１−1）／（ｎF１−ｎC１）、
ｎC1、ｎF1、ｎg1は各々、前記負レンズのＣ線、Ｆ線、ｇ線の屈折率を表す。
【００４４】
第１レンズ群は正パワーを有するため、第１レンズ群のペッツバール和は正の値になる。ここで、負レンズの屈折率が低いと、負レンズの部分のペッツバール和は負でかつ絶対値が大きくなる。このため、第１レンズ群としてのペッツバール和はゼロに近づく。そのため、残りのレンズ群も単体でペッツバール和をゼロにしておくか、残りのレンズ群全体でペッツバール和をゼロにしておけば、光学系全体のペッツバール和もゼロに近づく。その結果、像面湾曲の影響を小さく抑えることができる。
【００４５】
第１レンズ群の負レンズの屈折率ｎdは条件式（３−１）を満たしているので、屈折率が低い。このため、第１レンズ群のペッツバール和、および光学系全体のペッツバール和をゼロに近づけることができる。その結果、像面湾曲の影響を小さく抑えることができる。
【００４６】
条件式（３−１）の上限を上回ると、第１レンズ群のペッツバール和を小さくできなくなるので、像面湾曲の影響が大きくなってしまう。条件式（３−１）の下限を下回ると、負レンズのパワーが小さくなるので、望遠端での球面収差を補正することが困難になってしまう。
【００４７】
また、第１レンズ群の負レンズは条件式（４−１）を満たすので、分散が大きい。このため、第１レンズ群の正レンズとの組み合わせによって貼り合せレンズとした場合、色収差を良好に補正することができる。
【００４８】
条件式（４−１）の上限を上回ると、正レンズとのアッベ数の差が小さくなり、色収差の補正が困難になってしまう。条件式（４−１）の下限を下回ると、材料の製作が困難になってしまう。
【００４９】
なお、本実施形態の結像光学系は、以下の条件式（３−２）と（４−２）を満足すると、より一層好ましい。
1.57＜ｎd1＜1.67  …（３−２）
19＜νd1＜26      …（４−２）
【００５０】
条件式（３−２）を満たすと、よりペッツバール和を小さくすることができるので、像面湾曲の影響を抑えることができる。また、条件式（４−２）を満たすと、より色収差を良好に補正することができる。
【００５１】
以上のように、本実施形態の結像光学系において、条件式（３−１）と（４−１）、より好ましくは（３−２）と（４−２）を満たすと、像面湾曲と色収差をより良好に補正できるので、より高画質な画像を得られる薄型なカメラを得ることができる。
【００５２】
また、本実施形態の結像光学系は、以下の条件式（３−１）、（５−１）および（６−１）を満足することが好ましい。
1.50＜ｎd1＜1.70  …（３−１）
0.54＜θgF＜0.72  …（５−１）
0.51＜θhg＜0.68  …（６−１）
ｎd1は前記負レンズのｄ線に対する屈折率、
θgFは前記負レンズの部分分散比（ｎｇ1−ｎＦ1）／（ｎF1−ｎC1）、
θhgは前記負レンズの部分分散比（ｎｈ1−ｎｇ1）／（ｎF1−ｎC1）、
ｎＦ1、ｎC1、ｎｈ1、ｎg1は各々、前記負レンズのＦ線、Ｃ線、ｈ線、ｇ線の屈折率を表す。
【００５３】
条件式（３−１）については上記のとおりである。
【００５４】
次に、条件式（５−１）と（６−１）について説明する。短波長域の中でも、C線とF線の２波長間で色消しをしたときのｇ線の残存色収差、すなわち２次スペクトルは画像のコントラストに影響する。このため、部分分散比θgFが条件式（５−１）を満たすと、コントラストの高い画像を得られる。また、同様にｈ線の残存色収差は画像のコントラストへの影響は小さくなるものの、色にじみの原因となる。このため、部分分散比θhgが条件式（６−１）を満たすと、色にじみの発生を抑えた画像を得られる。
【００５５】
条件式（５−１）の上限を上回ると、２次スペクトルの影響が大きくなり、コントラストの高い画像を得られなくなる。条件式（６−１）の上限を上回ると、色にじみの発生が大きくなってしまう。また、条件式（５−１）および（６−１）の下限を下回ると、正レンズのθgFとの差が大きくなってしまい、短波長で色収差の影響が大きくなってしまう。また、材料の製作が困難になってしまう。
【００５６】
なお、本実施形態の結像光学系は、以下の条件式（３−１）、（５−２）および（６−２）を満足することが好ましい。
1.50＜ｎd＜1.70    …（３−１）
0.645＜θgF＜0.68  …（５−２）
0.605＜θhg＜0.645 …（６−２）
【００５７】
条件式（５−２）を満たすと、さらに２次スペクトルの影響を抑えて、よりコントラストの高い画像が得られるようになる。また、条件式（６−２）を満たすと、さらに色にじみの発生を抑えられる。
【００５８】
以上のように、本実施形態の結像光学系において、第１レンズ群の負レンズが条件式（３−１）と条件式（５−１）と条件式（６−１）、より好ましくは条件式（３−１）と条件式（５−２）と条件式（６−２）を満たすと、像面湾曲やコントラスト、色にじみをより良好に補正できるので、より高画質な画像を得られる薄型なカメラを得ることができる。
【００５９】
また、本実施形態の結像光学系では、第１レンズ群の正レンズと負レンズの境界面が非球面であることが好ましい。このようにすると、アッベ数νdの差により色収差を補正することができる。
【００６０】
第１レンズ群においては、高い像高に向かう光束が、光線高の高い位置（レンズ面において光軸から離れた位置）に入射する。このため、特に、高い像高に向かう光束に関しては、高次の色収差が発生しやすい。そこで、正レンズと負レンズの境界面を非球面にする。このようにすると、レンズ面のうち、光線高の高い領域の形状自由度が大きくなるので、像高に関する高次色収差、特に倍率の色収差をよく補正できる。このように、第１レンズ群の正レンズと負レンズの境界面を非球面にすると、高い像高においても高次の倍率の色収差を良好に補正できるので、画質の高い画像を得ることができる。
【００６１】
また、本実施形態の結像光学系では、非球面の形状が、光軸から離れるほど近軸の曲率に比べ曲率が小さくなる形状であることが好ましい。第１レンズ群の正レンズと負レンズの境界面の非球面の形状がこのような形状であると、高い像高に向かう光束は、境界面に入射するときの角度がゆるくなるので、像高に関する高次の倍率の色収差の発生が抑えられる。このように、像高に関する高次の倍率の色収差を良好に補正できるので、画質の高い画像を得ることができる。
【００６２】
また、本実施形態の結像光学系は、以下の条件式（７）を満たすことが好ましい。
1.70＜ｎd2＜1.85  …（７）
ここで、
ｎd2は第１レンズ群の正レンズのｄ線に対する屈折率である。
【００６３】
条件式（７）を満たすとき、第１レンズ群の正レンズの屈折率は高屈折率となるので、低屈折率の場合に比べて屈折力も高くなる。このため、光線を大きく曲げることができる。これにより、正レンズの曲率半径はより大きくすることができるので、レンズのフチ肉を確保しやすくなる。その結果、レンズの厚さを薄くすることができる。
【００６４】
また、第１レンズ群の正レンズの薄型化により、第１レンズ群全体の厚さはもちろん、光学系全長の厚さを薄くすることができるので、沈胴厚を薄くできる。さらに、光線を大きく曲げることができるため、第１レンズ群の外径を小さくすることもできる。
【００６５】
さらに、正レンズの曲率半径をより大きくすることができると、望遠側における球面収差の発生も少なくできる。
【００６６】
このように、本実施形態の結像光学系では、光学系全体の厚さ、沈胴厚を薄くでき、第１レンズ群の外径を小さくできるため、薄く小型な光学系を得ることができる。
【００６７】
また、本実施形態の結像光学系は、以下の条件式（８）を満たすことが好ましい。
55＜νd2＜75  …（８）
ここで、
νｄ2は第１レンズ群の正レンズのアッベ数（ｎd２−1）／（ｎF２−ｎC２）、
nd2、ｎＦ２、ｎC２は各々、前記正レンズのｄ線、Ｆ線、Ｃ線の屈折率を表す。
【００６８】
条件式（８）を満たすとき、第１レンズ群の正レンズのアッベ数は大きく、低分散となる。正レンズのフチ肉を確保しつつ第１レンズ群を薄くすると、正レンズと負レンズの境界面の曲率をゆるくする必要がある。すると、色収差の補正が困難になりやすいので、第１レンズ群で発生する色収差が大きくなってしまう。
【００６９】
ここで、第１レンズ群の正レンズが低分散であれば、負レンズとのアッベ数の差を大きくとることができる。これにより、境界面の曲率がゆるくても色収差を良好に補正することができる。その結果、第１レンズ群の厚さを薄くしても、色収差の小さい高画質な画像を得ることができる。
【００７０】
また、本実施形態の結像光学系では、第１レンズ群の負レンズが樹脂からなることが好ましい。樹脂材料はガラス材料に比較して軽く、また安価である。変倍時に第１レンズ群が移動する光学系においては、一般的に第１レンズ群の移動量は大きい。そのため、第１レンズ群が軽量であると、第１レンズ群を駆動するモーターなどの駆動系を小さくできるので、カメラ全体も小型化することができる。また、消費電力も抑えることができる。
【００７１】
更に、第１レンズ群の負レンズを樹脂とした場合、直接成形によって、正レンズ上に負レンズを形成することができる（このようなレンズは、複合型レンズと呼ばれる）。このとき、直接成形では、負レンズ部分は正レンズ上に液状の樹脂を塗布あるいは吐出した後に硬化させるため、単独で負レンズを製作する場合に比べ負レンズの中肉厚を非常に薄くすることができる。そのため、第１レンズ群の厚さをほぼ正レンズ１枚の厚さ程度まで薄くすることができる。これにより、光学系全長および沈胴厚を特に薄くすることができる。
【００７２】
また、負レンズに用いる樹脂は、エネルギー硬化型樹脂であると好ましい。上記のように、負レンズの形成は、正レンズ上に樹脂を塗布あるいは吐出した後に金型で樹脂を押延し、エネルギーを与えて硬化させる。このような方法の場合、樹脂がエネルギー硬化型樹脂であると、容易に複合型レンズを製作することができる。エネルギー硬化型樹脂としては、例えば熱硬化型や紫外線硬化型の樹脂などがある。
【００７３】
さらに、エネルギー硬化型樹脂は紫外線硬化型樹脂であると好ましい。紫外線硬化型樹脂の場合、加熱することなく樹脂を硬化させられるため、基材となる正レンズにプラスチックなど熱耐久性の低い材料を使用することができる。また、成形装置も小型化できる。
【００７４】
また、本実施形態の結像光学系は、第２レンズ群が、物体側から順に、正レンズ１枚と負レンズ１枚からなる接合レンズを含むことが好ましい。第２レンズ群にこのような接合レンズを含むと、歪曲収差やコマ収差などの軸外収差を、より良好に補正することができる。その結果、光学系を広画角化した場合であっても、画像周辺まで収差の少ない高画質な画像を得られる。
【００７５】
また、本実施形態の結像光学系は、像側レンズ群が第３レンズ群を有し、第３レンズ群が、物体側から順に、正レンズ１枚と、正レンズ１枚と負レンズ１枚の接合レンズとからなることが好ましい。第３レンズ群をこのような構成すると、光学系の全長を短くしやすい。これにより、小型な光学系を得られる。
【００７６】
また、本実施形態の結像光学系は、像側レンズ群が最終レンズ群を有し、最終レンズ群のパワー（屈折力）が正であることが好ましい。最終レンズ群が正のパワーであると、像面の近くで像高の高い光線を屈折し、像面にほぼ垂直に近い角度で入射させることができる。そのため、センサーでのシェーディングの影響を抑え、画像周辺まで明るい画像を得ることができる。
【００７７】
また、本実施形態の結像光学系は、最終レンズ群を光軸方向に動かすことによってフォーカシングすることが好ましい。第１レンズ群でフォーカシングをすると、フォーカシングの際の繰り出し量が大きくなる。ここで、光線をけることなくフォーカシングするためには、第１レンズ群の外径を大きくする必要がある。このため、第１レンズ群でフォーカシングをすることは、小型化の面で実質的に実現が難しい。
【００７８】
また、第２レンズ群や第３レンズ群は変倍群であるため、フォーカシングのために光軸上を移動すると像の倍率が変わってしまう。また、フォーカスを担うレンズ群の倍率が等倍近傍にある場合はフォーカシングが不可能である。本実施形態の結像光学系（ズームレンズ）の場合、特に、高倍率化すると第２レンズ群あるいは第３レンズ群の倍率が等倍となる焦点距離が存在するため、第２レンズ群あるいは第３レンズ群はフォーカシングには適さなくなる。
【００７９】
一方、最終レンズ群は全ズーム域で等倍になることがない。このため、本実施形態の結像光学系では、最終レンズ群を光軸方向に動かしてフォーカシングすることが可能である。また、最終レンズ群をフォーカスを担うレンズ群とすることで、像の倍率に大きな影響を与えずにフォーカシングすることもできる。
【００８０】
また、本実施形態の結像光学系では、フォーカシング時に移動する最終レンズ群が正レンズ１枚からなることが好ましい。フォーカシングを行うレンズ群は動かす頻度が高い。このため、複数枚のレンズを含むとレンズ群が重くなり、フォーカシングのための駆動系が大きくなる。また、レンズ群を移動させる際の消費電力も大きくなる。そこで、最終レンズ群（フォーカシング群）を正レンズ１枚で構成することで、複数枚のレンズを含む場合に比べレンズ系を軽くできる。加えて、駆動系を小型化できるので、消費電力も抑えることができる。
【００８１】
さらに、最終レンズ群自体の厚さを薄くできるため、沈胴厚を薄くすることができる。このように、最終レンズ群を正レンズ１枚で構成することで、光学系の沈胴厚が薄く、駆動系も小型になることから、小型なカメラを得ることができる。
【００８２】
また、本実施形態の結像光学系は、フォーカシング時に移動する最終レンズ群が樹脂からなることが好ましい。樹脂はガラスに比べて軽いため、最終レンズ群が樹脂からなるものとすると、最終レンズ群をさらに軽くすることができる。これにより、更にフォーカシングのための駆動系を小型化でき、消費電力も抑えられ、より小型なカメラを得ることができる。
【００８３】
また、本実施形態の電子撮像装置は、上述した結像光学系を含む電子撮像装置とすることが好ましい。上述した結像光学系は、色収差などを悪化させることなく光学系全長や沈胴厚を薄くすることが可能である。そのため、電子撮像装置にこのような結像光学系を用いると、高画質な画像を得られつつ薄型化された電子撮像装置を得ることができる。
【００８４】
次に、結像光学系の実施例であるズームレンズについて説明する。まず、実施例１にかかるズームレンズについて説明する。図１は本発明の実施例１にかかるズームレンズの無限遠物点合焦時の光学構成を示す光軸に沿う断面図であり、（ａ）は広角端、（ｂ）は中間焦点距離状態、（ｃ）は望遠端での断面図である。
【００８５】
図２は実施例１にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。また、ＦＩＹは像高を示している。なお、収差図における記号は、後述の実施例においても共通である。
【００８６】
実施例１のズームレンズは、図１に示すように、物体側より順に、正屈折力の第１レンズ群Ｇ１と、負屈折力の第２レンズ群Ｇ２と、開口絞りＳと、正屈折力の第３レンズ群Ｇ３と、正屈折力の第４レンズ群Ｇ４を有している。なお、以下全ての実施例において、レンズ断面図中、ＬＰＦはローパスフィルター、ＣＧはカバーガラス、Ｉは電子撮像素子の撮像面を示している。
【００８７】
第１レンズ群Ｇ１は、両凸正レンズＬ１と像側に凸面を向けた負メニスカスレンズＬ２との接合レンズで構成されており、全体で正の屈折力を有している。
【００８８】
第２レンズ群Ｇ２は、物体側に凸面を向けた負メニスカスレンズＬ３と、像側に凸面を向けた正メニスカスレンズＬ４と両凹負レンズＬ５との接合レンズで構成されており、全体で負の屈折力を有している。
【００８９】
第３レンズ群Ｇ３は、両凸正レンズＬ６と、両凸正レンズＬ７と両凹負レンズＬ８の接合レンズで構成されており、全体で正の屈折力を有している。
【００９０】
第４レンズ群Ｇ４は、両凸正レンズＬ９で構成されており、全体で正の屈折力を有している。
【００９１】
広角端から望遠端へと変倍する際には、第１レンズ群Ｇ１は物体側へ移動し、第２レンズ群Ｇ２は中間位置までは物体側へ移動し、中間位置から像側へ移動し、開口絞りＳは物体側へ移動し、第３レンズ群Ｇ３は物体側へ移動し、第４レンズ群Ｇ４は中間位置まで像側へ移動し、中間位置から物体側へ移動する。
【００９２】
非球面は、第１レンズ群Ｇ１中の像側に凸面を向けた負メニスカスレンズＬ２の像側の面、第２レンズ群Ｇ２中の物体側に凸面を向けた負メニスカスレンズＬ３の両面と両凹負レンズＬ５の像側の面、第３レンズ群Ｇ３中の両凸正レンズＬ６の両面、第４レンズ群Ｇ４中の両凸正レンズＬ９の両面の合計８面に設けられている。
【００９３】
次に、実施例２にかかるズームレンズについて説明する。図３は本発明の実施例２にかかるズームレンズの無限遠物点合焦時の光学構成を示す光軸に沿う断面図であり、（ａ）は広角端、（ｂ）は中間焦点距離状態、（ｃ）は望遠端での断面図である。
【００９４】
図４は実施例２にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。
【００９５】
実施例２のズームレンズは、図３に示すように、物体側より順に、正屈折力の第１レンズ群Ｇ１と、負屈折力の第２レンズ群Ｇ２と、開口絞りＳと、正屈折力の第３レンズ群Ｇ３と、正屈折力の第４レンズ群Ｇ４を有している。
【００９６】
第１レンズ群Ｇ１は、両凸正レンズＬ１と像側に凸面を向けた負メニスカスレンズＬ２との接合レンズで構成されており、全体で正の屈折力を有している。
【００９７】
第２レンズ群Ｇ２は、物体側に凸面を向けた負メニスカスレンズＬ３と、像側に凸面を向けた正メニスカスレンズＬ４と両凹負レンズＬ５との接合レンズで構成されており、全体で負の屈折力を有している。
【００９８】
第３レンズ群Ｇ３は、両凸正レンズＬ６と、両凸正レンズＬ７と両凹負レンズＬ８の接合レンズで構成されており、全体で正の屈折力を有している。
【００９９】
第４レンズ群Ｇ４は、両凸正レンズＬ９で構成されており、全体で正の屈折力を有している。
【０１００】
広角端から望遠端へと変倍する際には、第１レンズ群Ｇ１は物体側へ移動し、第２レンズ群Ｇ２は物体側へ移動し、開口絞りＳは物体側へ移動し、第３レンズ群Ｇ３は物体側へ移動し、第４レンズ群Ｇ４は中間位置まで像側へ移動し、中間位置から物体側へ移動する。
【０１０１】
非球面は、第１レンズ群Ｇ１中の像側に凸面を向けた負メニスカスレンズＬ２の両面、第２レンズ群Ｇ２中の物体側に凸面を向けた負メニスカスレンズＬ３の両面と両凹負レンズＬ５の像側の面、第３レンズ群Ｇ３中の両凸正レンズＬ６の両面、第４レンズ群Ｇ４中の両凸正レンズＬ９の両面の合計９面に設けられている。
【０１０２】
次に、実施例３にかかるズームレンズについて説明する。図５は本発明の実施例３にかかるズームレンズの無限遠物点合焦時の光学構成を示す光軸に沿う断面図であり、（ａ）は広角端、（ｂ）は中間焦点距離状態、（ｃ）は望遠端での断面図である。
【０１０３】
図６は実施例３にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。
【０１０４】
実施例３のズームレンズは、図５に示すように、物体側より順に、正屈折力の第１レンズ群Ｇ１と、負屈折力の第２レンズ群Ｇ２と、開口絞りＳと、正屈折力の第３レンズ群Ｇ３と、正屈折力の第４レンズ群Ｇ４を有している。
【０１０５】
第１レンズ群Ｇ１は、両凸正レンズＬ１と像側に凸面を向けた負メニスカスレンズＬ２との接合レンズで構成されており、全体で正の屈折力を有している。
【０１０６】
第２レンズ群Ｇ２は、物体側に凸面を向けた負メニスカスレンズＬ３と、像側に凸面を向けた正メニスカスレンズＬ４と両凹負レンズＬ５との接合レンズで構成されており、全体で負の屈折力を有している。
【０１０７】
第３レンズ群Ｇ３は、両凸正レンズＬ６と、両凸正レンズＬ７と両凹負レンズＬ８の接合レンズで構成されており、全体で正の屈折力を有している。
【０１０８】
第４レンズ群Ｇ４は、両凸正レンズＬ９で構成されており、全体で正の屈折力を有している。
【０１０９】
広角端から望遠端へと変倍する際には、第１レンズ群Ｇ１は物体側へ移動する。第２レンズ群Ｇ２は中間位置までは物体側へ移動し、中間位置から像側へ移動し、開口絞りＳは物体側へ移動し、第３レンズ群Ｇ３は物体側へ移動し、第４レンズ群Ｇ４は像側へ移動する。
【０１１０】
非球面は、第１レンズ群Ｇ１中の像側に凸面を向けた負メニスカスレンズＬ２の両面、第２レンズ群Ｇ２中の物体側に凸面を向けた負メニスカスレンズＬ３の両面と両凹負レンズＬ５の像側の面、第３レンズ群Ｇ３中の両凸正レンズＬ６の両面、第４レンズ群Ｇ４中の両凸正レンズＬ９の両面の合計９面に設けられている。
【０１１１】
次に、実施例４にかかるズームレンズについて説明する。図７は本発明の実施例４にかかるズームレンズの無限遠物点合焦時の光学構成を示す光軸に沿う断面図であり、（ａ）は広角端、（ｂ）は中間焦点距離状態、（ｃ）は望遠端での断面図である。
【０１１２】
図８は実施例４にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。
【０１１３】
実施例４のズームレンズは、図７に示すように、物体側より順に、正屈折力の第１レンズ群Ｇ１と、負屈折力の第２レンズ群Ｇ２と、開口絞りＳと、正屈折力の第３レンズ群Ｇ３と、正屈折力の第４レンズ群Ｇ４を有している。
【０１１４】
第１レンズ群Ｇ１は、両凸正レンズＬ１と像側に凸面を向けた負メニスカスレンズＬ２との接合レンズで構成されており、全体で正の屈折力を有している。
【０１１５】
第２レンズ群Ｇ２は、物体側に凸面を向けた負メニスカスレンズＬ３と、像側に凸面を向けた正メニスカスレンズＬ４と両凹負レンズＬ５との接合レンズで構成されており、全体で負の屈折力を有している。
【０１１６】
第３レンズ群Ｇ３は、両凸正レンズＬ６と、両凸正レンズＬ７と両凹負レンズＬ８の接合レンズで構成されており、全体で正の屈折力を有している。
【０１１７】
第４レンズ群Ｇ４は、両凸正レンズＬ９で構成されており、全体で正の屈折力を有している。
【０１１８】
広角端から望遠端へと変倍する際には、第１レンズ群Ｇ１は物体側へ移動する。第２レンズ群Ｇ２は中間位置までは物体側へ移動し、中間位置から像側へ移動し、開口絞りＳは物体側へ移動し、第３レンズ群Ｇ３は物体側へ移動し、第４レンズ群Ｇ４は像側へ移動する。
【０１１９】
非球面は、第１レンズ群Ｇ１中の像側に凸面を向けた負メニスカスレンズＬ２の両面、第２レンズ群Ｇ２中の物体側に凸面を向けた負メニスカスレンズＬ３の両面と両凹負レンズＬ５の像側の面、第３レンズ群Ｇ３中の両凸正レンズＬ６の両面、第４レンズ群Ｇ４中の両凸正レンズＬ９の両面の合計９面に設けられている。
【０１２０】
次に、実施例５にかかるズームレンズについて説明する。図９は本発明の実施例５にかかるズームレンズの無限遠物点合焦時の光学構成を示す光軸に沿う断面図であり、（ａ）は広角端、（ｂ）は中間焦点距離状態、（ｃ）は望遠端での断面図である。
【０１２１】
図１０は実施例５にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。
【０１２２】
実施例５のズームレンズは、図９に示すように、物体側より順に、正屈折力の第１レンズ群Ｇ１と、負屈折力の第２レンズ群Ｇ２と、開口絞りＳと、正屈折力の第３レンズ群Ｇ３と、正屈折力の第４レンズ群Ｇ４を有している。
【０１２３】
第１レンズ群Ｇ１は、両凸正レンズＬ１と像側に凸面を向けた負メニスカスレンズＬ２との接合レンズで構成されており、全体で正の屈折力を有している。
【０１２４】
第２レンズ群Ｇ２は、物体側に凸面を向けた負メニスカスレンズＬ３と、像側に凸面を向けた正メニスカスレンズＬ４と両凹負レンズＬ５との接合レンズで構成されており、全体で負の屈折力を有している。
【０１２５】
第３レンズ群Ｇ３は、両凸正レンズＬ６と、両凸正レンズＬ７と両凹負レンズＬ８の接合レンズで構成されており、全体で正の屈折力を有している。
【０１２６】
第４レンズ群Ｇ４は、両凸正レンズＬ９で構成されており、全体で正の屈折力を有している。
【０１２７】
広角端から望遠端へと変倍する際には、第１レンズ群Ｇ１は物体側へ移動し、第２レンズ群Ｇ２は中間位置までは物体側へ移動し、中間位置からは像側へ移動し、開口絞りＳは物体側へ移動し、第３レンズ群Ｇ３は物体側へ移動し、第４レンズ群Ｇ４は中間位置までは像側へ移動し、中間位置からは物体側へ移動する。
【０１２８】
非球面は、第１レンズ群Ｇ１中の像側に凸面を向けた負メニスカスレンズＬ２の像側の面、第２レンズ群Ｇ２中の物体側に凸面を向けた負メニスカスレンズＬ３の両面と両凹負レンズＬ５の像側の面、第３レンズ群Ｇ３中の両凸正レンズＬ６の両面、第４レンズ群Ｇ４中の両凸正レンズＬ９の両面の合計８面に設けられている。
【０１２９】
次に、実施例６にかかるズームレンズについて説明する。図１１は本発明の実施例６にかかるズームレンズの無限遠物点合焦時の光学構成を示す光軸に沿う断面図であり、（ａ）は広角端、（ｂ）は中間焦点距離状態、（ｃ）は望遠端での断面図である。
【０１３０】
図１２は実施例６にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。
【０１３１】
実施例６のズームレンズは、図１１に示すように、物体側より順に、正屈折力の第１レンズ群Ｇ１と、負屈折力の第２レンズ群Ｇ２と、開口絞りＳと、正屈折力の第３レンズ群Ｇ３と、正屈折力の第４レンズ群Ｇ４を有している。
【０１３２】
第１レンズ群Ｇ１は、両凸正レンズＬ１と像側に凸面を向けた負メニスカスレンズＬ２との接合レンズで構成されており、全体で正の屈折力を有している。
【０１３３】
第２レンズ群Ｇ２は、物体側に凸面を向けた負メニスカスレンズＬ３と、像側に凸面を向けた正メニスカスレンズＬ４と両凹負レンズＬ５との接合レンズで構成されており、全体で負の屈折力を有している。
【０１３４】
第３レンズ群Ｇ３は、両凸正レンズＬ６と、両凸正レンズＬ７と両凹負レンズＬ８の接合レンズで構成されており、全体で正の屈折力を有している。
【０１３５】
第４レンズ群Ｇ４は、両凸正レンズＬ９で構成されており、全体で正の屈折力を有している。
【０１３６】
広角端から望遠端へと変倍する際には、第１レンズ群Ｇ１は物体側へ移動し、第２レンズ群Ｇ２は中間位置までは物体側へ移動し、中間位置からは像側へ移動し、開口絞りＳは物体側へ移動し、第３レンズ群Ｇ３は物体側へ移動し、第４レンズ群Ｇ４は中間位置までは像側へ移動し、中間位置からは物体側へ移動する。
【０１３７】
非球面は、第１レンズ群Ｇ１中の像側に凸面を向けた負メニスカスレンズＬ２の像側の面、第２レンズ群Ｇ２中の物体側に凸面を向けた負メニスカスレンズＬ３の両面と両凹負レンズＬ５の像側の面、第３レンズ群Ｇ３中の両凸正レンズＬ６の両面、第４レンズ群Ｇ４中の両凸正レンズＬ９の両面の合計８面に設けられている。
【０１３８】
次に、実施例７にかかるズームレンズについて説明する。図１３は本発明の実施例７にかかるズームレンズの無限遠物点合焦時の光学構成を示す光軸に沿う断面図であり、（ａ）は広角端、（ｂ）は中間焦点距離状態、（ｃ）は望遠端での断面図である。
【０１３９】
図１４は実施例７にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。
【０１４０】
実施例７のズームレンズは、図１３に示すように、物体側より順に、正屈折力の第１レンズ群Ｇ１と、負屈折力の第２レンズ群Ｇ２と、開口絞りＳと、正屈折力の第３レンズ群Ｇ３と、正屈折力の第４レンズ群Ｇ４を有している。
【０１４１】
第１レンズ群Ｇ１は、両凸正レンズＬ１と像側に凸面を向けた負メニスカスレンズＬ２との接合レンズで構成されており、全体で正の屈折力を有している。
【０１４２】
第２レンズ群Ｇ２は、物体側に凸面を向けた負メニスカスレンズＬ３と、像側に凸面を向けた正メニスカスレンズＬ４と両凹負レンズＬ５との接合レンズで構成されており、全体で負の屈折力を有している。
【０１４３】
第３レンズ群Ｇ３は、両凸正レンズＬ６と、両凸正レンズＬ７と両凹負レンズＬ８の接合レンズで構成されており、全体で正の屈折力を有している。
【０１４４】
第４レンズ群Ｇ４は、両凸正レンズＬ９で構成されており、全体で正の屈折力を有している。
【０１４５】
広角端から望遠端へと変倍する際には、第１レンズ群Ｇ１は物体側へ移動する。第２レンズ群Ｇ２は中間位置までは物体側へ移動し、中間位置からは像側へ移動する。開口絞りＳは物体側へ移動する。第３レンズ群Ｇ３は物体側へ移動する。第４レンズ群Ｇ４は像側へ移動する。なお、第２レンズ群Ｇ２における中間位置までの移動量、第４レンズ群Ｇ４における中間位置までの移動量はごくわずかであるので、略固定の状態ということもできる。
【０１４６】
非球面は、第１レンズ群Ｇ１中の像側に凸面を向けた負メニスカスレンズＬ２の像側の面、第２レンズ群Ｇ２中の物体側に凸面を向けた負メニスカスレンズＬ３の両面と両凹負レンズＬ５の像側の面、第３レンズ群Ｇ３中の両凸正レンズＬ６の両面、第４レンズ群Ｇ４中の両凸正レンズＬ９の像側の面の合計７面に設けられている。
【０１４７】
次に、実施例８にかかるズームレンズについて説明する。図１５は本発明の実施例８にかかるズームレンズの無限遠物点合焦時の光学構成を示す光軸に沿う断面図であり、（ａ）は広角端、（ｂ）は中間焦点距離状態、（ｃ）は望遠端での断面図である。
【０１４８】
図１６は実施例８にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。
【０１４９】
実施例８のズームレンズは、図１５に示すように、物体側より順に、正屈折力の第１レンズ群Ｇ１と、負屈折力の第２レンズ群Ｇ２と、開口絞りＳと、正屈折力の第３レンズ群Ｇ３と、正屈折力の第４レンズ群Ｇ４を有している。
【０１５０】
第１レンズ群Ｇ１は、両凸正レンズＬ１と像側に凸面を向けた負メニスカスレンズＬ２との接合レンズで構成されており、全体で正の屈折力を有している。
【０１５１】
第２レンズ群Ｇ２は、物体側に凸面を向けた負メニスカスレンズＬ３と、像側に凸面を向けた正メニスカスレンズＬ４と両凹負レンズＬ５との接合レンズで構成されており、全体で負の屈折力を有している。
【０１５２】
第３レンズ群Ｇ３は、両凸正レンズＬ６と、両凸正レンズＬ７と両凹負レンズＬ８の接合レンズで構成されており、全体で正の屈折力を有している。
【０１５３】
第４レンズ群Ｇ４は、両凸正レンズＬ９で構成されており、全体で正の屈折力を有している。
【０１５４】
広角端から望遠端へと変倍する際には、第１レンズ群Ｇ１は物体側へ移動し、第２レンズ群Ｇ２は像側へ移動し、開口絞りＳは物体側へ移動し、第３レンズ群Ｇ３は物体側へ移動し、第４レンズ群Ｇ４は像側へ移動する。なお、第２レンズ群Ｇ２における中間位置までの移動量はごくわずかであるので、略固定の状態ということもできる。
【０１５５】
非球面は、第１レンズ群Ｇ１中の像側に凸面を向けた負メニスカスレンズＬ２の両面、第２レンズ群Ｇ２中の物体側に凸面を向けた負メニスカスレンズＬ３の両面と両凹負レンズＬ５の像側の面、第３レンズ群Ｇ３中の両凸正レンズＬ６の両面、第４レンズ群Ｇ４中の両凸正レンズＬ９の両面の合計９面に設けられている。
【０１５６】
実施例はいずれも変倍光学系であるが、これに限らず単焦点光学系に適用してもよい。特に、本発明は特に変倍光学系に適用すると、より効果が高く望ましい。
【０１５７】
次に、上記各実施例のズームレンズを構成する光学部材の数値データを掲げる。各実施例の数値データにおいて、ｒは各レンズ面の曲率半径、ｄは各レンズの肉厚または空気間隔、ｎｄは各レンズのｄ線での屈折率、νｄは各レンズのアッべ数、Ｆｎｏ．はＦナンバー、ｆは全系焦点距離、２ωは全画角、ＢＦはバックフォーカスをそれぞれ表している。また、面番号に付された*は非球面を示している。
【０１５８】
また、非球面形状は、光軸方向をｚ、光軸に直交する方向をｙにとり、円錐係数をＫ、非球面係数をＡ４、Ａ６、Ａ８、Ａ１０としたとき、次の式で表される。
ｚ＝（ｙ2／ｒ）／［１＋｛１−（１＋Ｋ）（ｙ／ｒ）2｝1/2］
＋Ａ４ｙ4＋Ａ６ｙ6＋Ａ８ｙ8＋Ａ１０ｙ10
また、Ｅは１０のべき乗を表している。なお、これら諸元値の記号は後述の実施例の数値データにおいても共通である。
【０１５９】
数値実施例１
単位  mm
面データ
面番号       r            d              nd         νd     有効半径
物面        ∞            ∞   
1         38.7462       3.8780        1.74320       49.34    8.300
2        -30.5842       0.1001        1.63387       23.38    8.047
3*      -167.1523       可変                                 7.882
4*       331.7471       0.8000        1.85135       40.10    5.961
5*         6.5610       2.7714                               4.691
6        -98.0412       1.3706        1.94595       17.98    4.600
7        -14.2755       0.7000        1.74320       49.34    4.586
8*       118.5805       可変                                 4.502
9(絞り)     ∞          0.                                   2.238
10*        4.7451       2.3450        1.59201       67.02    2.400
11*      -22.1177       0.1010                               2.309
12         6.4853       1.6679        1.49700       81.54    2.263
13        -6.8834       0.5720        1.62004       36.26    2.102
14         3.2387       可変                                 1.900
15*       21.9061       2.9450        1.52542       55.78    5.011
16*      -13.2508       可変                                 5.119
17          ∞          0.4000        1.51633       64.14    4.312
18          ∞          0.5000                               4.274
19          ∞          0.5000        1.51633       64.14    4.207
20          ∞          可変                                 4.164
像面        ∞     
非球面データ
第３面
K=0
A4=7.1261E-06,A6=-9.5994E-11,A8=2.8435E-10,A10=-3.3886E-12
第４面
K=0
A4=-2.2711E-04,A6=1.6054E-05,A8=-7.9231E-07,A10=1.7115E-08,A12=-1.4630E-10
第５面
K=0
A4=7.4976E-06,A6=1.9171E-05,A8=-2.5872E-07,A10=1.4664E-09,A12=-1.1648E-09
第８面
K=0
A4=-3.9092E-04,A6=-4.5615E-06,A8=-1.9641E-07,A10=1.1959E-08,A12=2.3141E-10
第１０面
K=0
A4=-3.5333E-04,A6=2.1251E-05,A8=2.3517E-09,A10=7.4353E-07,A12=-1.0754E-08
第１１面
K=0
A4=1.0797E-03,A6=6.3243E-05,A8=-1.0480E-07,A10=1.6437E-06,A12=-4.0748E-08
第１５面
K=0.1753
A4=2.4585E-04,A6=-4.0236E-06,A8=-1.6021E-07
第１６面
K=-12.8225
A4=3.7539E-06,A6=-1.4288E-05,A8=6.8251E-08
ズームデータ
ズーム比     9.6408
広角          中間          望遠
ｆ            5.04205      15.62612      48.60930
Ｆｎｏ．      2.91490       5.05867       6.00000
２ω(°)     80.70         26.92          8.86   
像高          3.83000       3.83000       3.83000
レンズ全長   38.15640      46.99177      57.74277
ＢＦ          4.89017       2.89599       4.08258
入射瞳位置   10.44122      23.91418      68.14399
射出瞳位置  -13.28680    -577.87906      82.97440 
d3            0.30000       7.89933      19.56758
d8           13.56406       6.42475       0.20022
d14           2.15124      12.52076      16.64146
d16           3.41026       1.38767       2.55974
d20           0.38637       0.41478       0.42930
単レンズデータ
レンズ  レンズ面       ｆ
1       1 -  2     23.5602
2       2 -  3    -59.0721
3       4 -  5     -7.8710
4       6 -  7     17.5237
5       7 -  8    -17.1058
6      10 - 11      6.8209
7      12 - 13      7.0091
8      13 - 14     -3.4769
9      15 - 16     16.1811
10      17 - 18       ∞   
11      19 - 20       ∞   
ズームレンズ群データ
群      始面        焦点距離
1        1           38.12656      
2        4           -7.75907      
3        9            9.78868      
4       15           16.18105      
【０１６０】
数値実施例２
単位  mm
面データ
面番号       r            d              nd         νd     有効半径
物面        ∞            ∞   
1         37.6256       3.8459        1.74320       49.34    8.300
2*       -24.3421       0.1175        1.63387       23.38    8.057
3*      -160.7510       可変                                 7.889
4*       443.0467       0.8000        1.85135       40.10    5.976
5*         6.3421       2.9963                               4.552
6        -99.7376       1.3794        1.94595       17.98    4.500
7        -13.5019       0.7000        1.74320       49.34    4.506
8*        96.0909       可変                                 4.462
9(絞り)     ∞          0.                                   2.534
10*        4.7283       2.4785        1.59201       67.02    2.700
11*      -24.4763       0.1010                               2.560
12         6.6975       1.7002        1.49700       81.54    2.519
13        -8.0759       0.5676        1.62004       36.26    2.369
14         3.3152       可変                                 2.137
15*       22.6097       2.8426        1.52542       55.78    5.007
16*      -14.3688       可変                                 5.061
17          ∞          0.4000        1.51633       64.14    4.349
18          ∞          0.5000                               4.313
19          ∞          0.5000        1.51633       64.14    4.245
20          ∞          可変                                 4.201
像面        ∞     
非球面データ
第２面
K=0
A4=2.7132E-05,A6=4.4733E-07,A8=1.5703E-11
第３面
K=0
A4=4.9319E-06,A6=-6.6642E-08,A8=-3.1944E-10,A10=4.7054E-14
第４面
K=0
A4=-1.3518E-04,A6=1.9930E-06,A8=-2.7242E-08,A10=1.0017E-10,A12=-2.6870E-13
第５面
K=0
A4=1.3274E-04,A6=-1.9445E-06,A8=7.4692E-07,A10=-1.8659E-08,A12=-2.6362E-10
第８面
K=0
A4=-4.0904E-04,A6=-1.6552E-06,A8=-3.2443E-07,A10=2.0395E-08,A12=-4.0672E-10
第１０面
K=0
A4=-4.0203E-04,A6=8.3604E-05,A8=-3.0703E-06,A10=1.6765E-09,A12=6.5791E-08
第１１面
K=0
A4=1.1493E-03,A6=1.6702E-04,A8=1.6150E-07,A10=-1.7725E-06,A12=3.4641E-07
第１５面
K=2.2323
A4=1.1897E-04,A6=-1.3050E-06,A8=-6.0952E-08
第１６面
K=-1.4366
A4=4.9634E-04,A6=-3.0197E-05,A8=4.7407E-07
ズームデータ
ズーム比     9.6374
広角          中間          望遠
ｆ            5.04248      15.62724      48.59655
Ｆｎｏ．      2.65542       4.67023       6.00000
２ω(°)     80.70         26.96          8.87   
像高          3.83000       3.83000       3.83000
レンズ全長   38.69447      46.78900      57.75537
ＢＦ          4.80897       2.53923       2.70786
入射瞳位置   10.34364      22.40600      61.91793 
射出瞳位置  -13.73124    -359.52622      72.84104 
d3            0.30000       7.09563      17.55550
d8           13.55830       6.45549       0.97647
d14           2.49810      13.16957      18.98645
d16           3.32887       1.02939       1.17246
d20           0.38657       0.41629       0.44186
単レンズデータ
レンズ  レンズ面       ｆ
1       1 -  2     20.4276
2       2 -  3    -45.2703
3       4 -  5     -7.5640
4       6 -  7     16.3808
5       7 -  8    -15.8858
6      10 - 11      6.9119
7      12 - 13      7.6593
8      13 - 14     -3.7197
9      15 - 16     17.1757
10      17 - 18       ∞   
11      19 - 20       ∞   
ズームレンズ群データ
群      始面        焦点距離
1        1           35.95496    
2        4           -7.41239      
3        9            9.71529      
4       15           17.17568      
【０１６１】
数値実施例３
単位  mm
面データ
面番号       r            d              nd         νd     有効半径
物面        ∞            ∞   
1         33.5637       3.8561        1.74320       49.34    8.300
2*       -23.6751       0.1010        1.63419       23.39    8.055
3*      -177.9248       可変                                 7.871
4*       351.6671       0.8000        1.85135       40.10    5.888
5*         6.2223       2.8748                               4.524
6       -221.5865       1.4049        1.94595       17.98    4.400
7        -14.0404       0.7000        1.74320       49.34    4.378
8*        48.2566       可変                                 4.275
9(絞り)     ∞          0.                                   2.336
10*        5.2429       4.1608        1.59201       67.02    2.450
11*      -30.5958       0.1010                               2.365
12         5.8118       1.2779        1.49700       81.54    2.350
13        -8.8779       0.5434        1.62004       36.26    2.295
14         3.7537       可変                                 2.165
15*       22.6097       2.6205        1.52542       55.78    5.056
16*      -14.3688       可変                                 5.105
17          ∞          0.4000        1.51633       64.14    4.350
18          ∞          0.5000                               4.316
19          ∞          0.5000        1.51633       64.14    4.251
20          ∞          可変                                 4.208
像面        ∞                                   
非球面データ
第２面
K=0
A4=2.5867E-05,A6=-1.6267E-07,A8=1.0628E-08
第３面
K=0
A4=6.6904E-06,A6=6.3210E-08,A8=-2.6115E-09
第４面
K=0
A4=-5.2193E-05,A6=-7.4029E-06,A8=1.8920E-07,A10=-1.3669E-09
第５面
K=0
A4=2.1987E-04,A6=-5.5666E-06,A8=-3.3971E-07
第８面
K=0
A4=-4.6053E-04,A6=-3.8234E-06,A8=1.6434E-07
第１０面
K=0
A4=-2.5237E-04,A6=-5.6791E-06,A8=1.1821E-06
第１１面
K=0
A4=1.1628E-03,A6=1.6702E-04,A8=5.7620E-06
第１５面
K=2.2323
A4=1.1897E-04,A6=-1.3050E-06,A8=-6.0952E-08
第１６面
K=-1.4366，A4=4.9634E-04,A6=-3.0197E-05,A8=4.7407E-07
ズームデータ
ズーム比     9.6416
広角          中間          望遠
ｆ            5.04220      15.62797      48.61484
Ｆｎｏ．      2.85743       4.81962       5.99414
２ω(°)     80.70         26.79          8.86   
像高          3.83000       3.83000       3.83000
レンズ全長   39.43235      48.80462      57.73602
ＢＦ          5.47663       3.56194       3.46182
入射瞳位置   10.36699      24.73984      64.89698 
射出瞳位置  -14.38954    -372.75423      78.18348 
d3            0.30000       7.54587      16.87792
d8           13.20125       6.59591       0.99905
d14           2.01414      12.66057      17.95691
d16           3.99974       2.06308       1.94683
d20           0.38335       0.40532       0.42145
単レンズデータ
レンズ  レンズ面       ｆ
1       1 -  2     19.2319
2       2 -  3    -43.0721
3       4 -  5     -7.4484
4       6 -  7     15.7949
5       7 -  8    -14.5643
6      10 - 11      7.9017
7      12 - 13      7.2775
8      13 - 14     -4.1860
9      15 - 16     17.1393
10      17 - 18       ∞   
11      19 - 20       ∞   
ズームレンズ群データ
群      始面        焦点距離
1        1          33.43841      
2        4          -7.02584      
3        9           9.99048     
4       15          17.13925     
【０１６２】
数値実施例４
単位  mm
面データ
面番号       r            d              nd         νd     有効半径
物面        ∞            ∞   
1         33.4995       3.8549        1.74320       49.34    8.300
2*       -24.0415       0.1020        1.63408       23.39    8.054
3*      -184.2664       可変                                 7.870
4*       408.0248       0.8000        1.85135       40.10    5.892
5*         6.2345       2.8693                               4.517
6       -226.7782       1.3680        1.94595       17.98    4.400
7        -13.9046       0.7000        1.74320       49.34    4.381
8*        48.7621       可変                                 4.283
9(絞り)     ∞          0.                                   2.329
10*        5.2570       4.1685        1.59201       67.02    2.450
11*      -31.3921       0.1010                               2.366
12         5.7722       1.2811        1.49700       81.54    2.350
13        -8.9679       0.5457        1.62004       36.26    2.295
14         3.7552       可変                                 2.165
15*       22.6097       2.5873        1.52542       55.78    5.056
16*      -14.3688       可変                                 5.104
17          ∞          0.4000        1.51633       64.14    4.351
18          ∞          0.5000                               4.317
19          ∞          0.5000        1.51633       64.14    4.252
20          ∞          可変                                 4.210
像面        ∞                                   
非球面データ
第２面
K=0
A4=2.4255E-05,A6=-1.6024E-07,A8=1.0292E-08
第３面
K=0
A4=6.5739E-06,A6=6.4429E-08,A8=-2.5473E-09
第４面
K=0
A4=-4.7468E-05,A6=-7.0879E-06,A8=1.8324E-07,A10=-1.3494E-09
第５面
K=0
A4=2.3209E-04,A6=-5.5503E-06,A8=-2.6484E-07
第８面
K=0
A4=-4.6306E-04,A6=-3.6484E-06,A8=1.3207E-07
第１０面
K=0
A4=-2.4582E-04,A6=-4.7771E-06,A8=1.1377E-06
第１１面
K=0
A4=1.1581E-03,A6=5.9424E-06,A8=5.6155E-06
第１５面
K=2.2323
A4=1.1897E-04,A6=-1.3050E-06,A8=-6.0952E-08
第１６面
K=-1.4366
A4=4.9634E-04,A6=-3.0197E-05,A8=4.7407E-07
ズームデータ
ズーム比     9.6421
広角          中間          望遠
ｆ            5.04198      15.62788      48.61538
Ｆｎｏ．      2.86665       4.82620       6.00000
２ω(°)     80.70         26.79          8.86   
像高          3.83000       3.83000       3.83000
レンズ全長   39.46471      48.81193      57.73565
ＢＦ          5.45719       3.52427       3.45964
入射瞳位置   10.37149      24.91621      65.14585 
射出瞳位置  -14.45593    -364.85480      78.65951 
d3            0.30000       7.62161      16.97403
d8           13.26587       6.63986       0.99970
d14           2.06373      12.64827      17.92436
d16           3.98036       2.02562       1.94496
d20           0.38329       0.40510       0.42115
単レンズデータ
レンズ  レンズ面       ｆ
1       1 -  2     19.3867
2       2 -  3    -43.6153
3       4 -  5     -7.4436
4       6 -  7     15.6106
5       7 -  8    -14.4890
6      10 - 11      7.9421
7      12 - 13      7.2760
8      13 - 14     -4.1999
9      15 - 16     17.1338
10      17 - 18       ∞   
11      19 - 20       ∞   
ズームレンズ群データ
群      始面        焦点距離
1        1          33.59323     
2        4          -7.05101     
3        9           9.99930     
4       15          17.13383     
【０１６３】
数値実施例５
単位  mm
面データ
面番号       r            d              nd         νd     有効半径
物面        ∞            ∞   
1         38.8392       3.8776        1.74320       49.34    8.300
2        -30.5816       0.1003        1.63399       23.39    8.047
3*      -167.1533       可変                                 7.883
4*       329.0172       0.8000        1.85135       40.10    6.100
5*         6.5764       2.7790                               4.810
6        -97.9563       1.3767        1.94595       17.98    4.850
7        -14.3002       0.7000        1.74320       49.34    4.706
8*       118.7316       可変                                 4.579
9(絞り)     ∞          0.                                   2.242
10*        4.7460       2.3447        1.59201       67.02    2.350
11*      -22.1152       0.1010                               2.319
12         6.4846       1.6660        1.49700       81.54    2.302
13        -6.8683       0.5715        1.62004       36.26    2.174
14         3.2402       可変                                 2.004
15*       21.9160       2.9514        1.52542       55.78    4.994
16*      -13.2543       可変                                 5.113
17          ∞          0.4000        1.51633       64.14    4.313
18          ∞          0.5000                               4.276
19          ∞          0.5000        1.51633       64.14    4.210
20          ∞          可変                                 4.168
像面        ∞                 
非球面データ
第２面
K=0
A4=2.4255E-05,A6=-1.6024E-07,A8=1.0292E-08
第３面
K=0
A4=7.0692E-06,A6=-7.0296E-11,A8=2.8247E-10,A10=-3.3634E-12
第４面
K=0
A4=-2.2158E-04,A6=1.5111E-05,A8=-7.2165E-07,A10=1.5107E-08,A12=-1.2600E-10
第５面
K=0
A4=1.7090E-05,A6=1.7653E-05,A8=-1.7011E-07,A10=1.7201E-09,A12=-1.1848E-09
第８面
K=0
A4=-3.9027E-04,A6=-4.2746E-06,A8=-2.0925E-07,A10=1.1892E-08,A12=2.1801E-10
第１０面
K=0
A4=-3.4649E-04,A6=2.1064E-05,A8=1.5810E-09,A10=7.0622E-07,A12=-5.8766E-09
第１１面
K=0
A4=1.0885E-03,A6=6.2072E-05,A8=-1.0400E-07,A10=1.5818E-06,A12=-2.9358E-08
第１５面
K=0.2108
A4=2.3022E-04,A6=-4.0382E-06,A8=-1.7950E-07
第１６面
K=-12.6934
A4=4.3373E-06,A6=-1.5709E-05,A8=8.3094E-08
ズームデータ
ズーム比     9.6407
広角          中間          望遠
ｆ            5.04205      15.62604      48.60895
Ｆｎｏ．      2.90925       5.05429       6.00000
２ω(°)     80.70         26.92          8.86   
像高          3.83000       3.83000       3.83000
レンズ全長   38.20171      47.01914      57.74305
ＢＦ          4.87698       2.79519       4.00499
入射瞳位置   10.45598      24.01559      68.15408 
射出瞳位置  -13.30843    -612.61660      82.58418 
d3            0.30000       7.93153      19.58684
d8           13.59226       6.47536       0.21040
d14           2.16430      12.54888      16.67265
d16           3.39705       1.28671       2.48187
d20           0.38638       0.41495       0.42959
単レンズデータ
レンズ  レンズ面       ｆ
1       1 -  2     23.5833
2       2 -  3    -59.0554
3       4 -  5     -7.8912
4       6 -  7     17.5611
5       7 -  8    -17.1347
6      10 - 11      6.8217
7      12 - 13      7.0012
8      13 - 14     -3.4755
9      15 - 16     16.1873
10      17 - 18       ∞   
11      19 - 20       ∞   
ズームレンズ群データ
群      始面        焦点距離
1        1          38.19622   
2        4          -7.77672     
3        9           9.79533     
4       15          16.18727     
【０１６４】
数値実施例６
単位  mm
面データ
面番号       r            d              nd         νd     有効半径
物面        ∞            ∞   
1         40.5092       3.8407        1.78800       47.37    8.300
2        -31.3780       0.0996        1.63387       23.38    7.705
3*      -178.3296       可変                                 7.500
4*       325.4751       0.8000        1.85135       40.10    6.061
5*         6.5718       2.9145                               4.719
6        -94.5898       1.4574        1.94595       17.98    4.850
7        -15.2329       0.7000        1.74320       49.34    4.657
8*       118.2346       可変                                 4.590
9(絞り)     ∞          0.                                   2.312
10*        4.7528       2.3618        1.59201       67.02    2.556
11*      -21.9098       0.1010                               2.452
12         6.4631       1.6574        1.49700       81.54    2.394
13        -6.7779       0.5689        1.62004       36.26    2.239
14         3.2368       可変                                 2.000
15*       20.7709       3.1434        1.52542       55.78    4.794
16*      -13.8253       可変                                 5.000
17          ∞          0.4000        1.51633       64.14    4.302
18          ∞          0.5000                               4.264
19          ∞          0.5000        1.51633       64.14    4.209
20          ∞          可変                                 4.180
像面        ∞                                   
非球面データ
第３面
K=0
A4=8.3809E-06,A6=1.1954E-08,A8=7.4863E-11,A10=-2.0898E-12
第４面
K=0
A4=-2.8582E-04,A6=1.5960E-05,A8=-5.1652E-07,A10=7.2923E-09,A12=-4.1716E-11
第５面
K=0
A4=-2.6296E-05,A6=3.2055E-06,A8=1.0291E-06,A10=-1.2688E-08,A12=-1.2986E-09
第８面
K=0
A4=-4.0466E-04,A6=3.9510E-06,A8=-8.1664E-07,A10=2.8866E-08,A12=-5.7841E-11
第１０面
K=0
A4=-2.7296E-04,A6=1.5915E-05,A8=-7.9974E-08,A10=4.8361E-07,A12=2.0810E-08
第１１面
K=0
A4=1.2100E-03,A6=4.9644E-05,A8=-2.6834E-06,A10=1.7408E-06,A12=-5.0032E-10
第１５面
K=-1.2413
A4=2.4587E-04,A6=6.1111E-06,A8=-1.0328E-06
第１６面
K=-20.6197
A4=-2.7845E-04,A6=-2.6018E-07,A8=-7.4384E-07
ズームデータ
ズーム比     9.6396
広角          中間          望遠
ｆ            5.04213      15.62558      48.60408
Ｆｎｏ．      2.82526       4.97425       6.00000
２ω(°)     80.70         27.16          8.98   
像高          3.83000       3.83000       3.83000
レンズ全長   38.33092      46.66113      56.74668
ＢＦ          4.84402       2.53037       3.45519
入射瞳位置   10.41750      22.79674      63.43826 
射出瞳位置  -13.19938    -973.79747      76.27427 
d3            0.30000       7.27085      18.21919
d8           13.48096       6.43344       0.21034
d14           2.06125      12.78177      17.21727
d16           3.36402       1.02045       1.92846
d20           0.38647       0.41639       0.43319
単レンズデータ
レンズ  レンズ面       ｆ
1       1 -  2     22.9800
2       2 -  3    -60.0882
3       4 -  5     -7.8874
4       6 -  7     19.0246
5       7 -  8    -18.1166
6      10 - 11      6.8219
7      12 - 13      6.9454
8      13 - 14     -3.4579
9      15 - 16     16.3081
10      17 - 18       ∞   
11      19 - 20       ∞   
ズームレンズ群データ
群      始面        焦点距離
1        1          36.28457     
2        4          -7.66736      
3        9           9.81248      
4       15          16.30813     
【０１６５】
数値実施例７
単位  mm
面データ
面番号       r            d              nd         νd     有効半径
物面        ∞            ∞   
1         27.3932       4.2000        1.58913       61.14    9.541
2        -35.7876       0.1000        1.63387       23.38    9.055
3*       -98.3276       可変                                 8.800
4*       385.0280       0.8000        1.85135       40.10    6.582
5*         6.6547       3.0343                               4.938
6        -83.5231       1.7176        1.94595       17.98    4.850
7        -14.0164       0.7000        1.74320       49.34    4.820
8*        68.5938       可変                                 4.704
9(絞り)      ∞         0.                                   2.012
10*        4.7393       2.6443        1.59201       67.02    2.117
11*      -20.9923       0.1010                               2.002
12         7.1479       1.7543        1.49700       81.54    1.950
13        -7.1254       0.4187        1.62004       36.26    1.855
14         3.2804       可変                                 1.794
15        23.5029       3.5430        1.52542       55.78    4.625
16*      -10.9882       可変                                 4.750
17          ∞          0.4000        1.51633       64.14    4.268
18          ∞          0.5000                               4.226
19          ∞          0.5000        1.51633       64.14    4.145
20          ∞          可変                                 4.101
像面        ∞                                               
非球面データ
第３面
K=0
A4=6.9253E-06,A6=-1.5952E-08,A8=1.4159E-10,A10=-6.5161E-13
第４面
K=0
A4=-2.1138E-05,A6=2.2478E-09,A8=-2.9813E-08,A10=1.7957E-11,A12=5.5317E-12
第５面
K=0
A4=1.7903E-04,A6=-1.5177E-06,A8=1.1439E-06,A10=-4.2482E-08,A12=-6.0356E-12
第８面
K=0
A4=-3.5628E-04,A6=1.1734E-08,A8=-6.7191E-07,A10=3.2115E-08,A12=-3.0697E-10
第１０面
K=0
A4=-4.8237E-04,A6=-1.0718E-07,A8=9.6535E-06,A10=−2.4331E−06,A12=2.5124E−07
第１１面
K=0
A4=1.0129E-03,A6=5.9423E-05,A8=1.8540E-06,A10=-3.2889E-07,A12=8.6254E-08
第１６面
K=0
A4=-2.4381E-05
ズームデータ
ズーム比     9.6227
広角          中間          望遠
ｆ            5.05229      15.65132      48.61681
Ｆｎｏ．      3.40153       5.28247       6.00000
２ω(°)     80.70         27.42          8.98   
像高          3.83000       3.83000       3.83000
レンズ全長   40.79522      50.78563      58.62998
ＢＦ          4.60108       4.60225       3.40430
入射瞳位置   11.23195      30.68142      94.41822 
射出瞳位置  -16.62015  -11931.47796      89.32902 
d3            0.30000       9.64514      21.08815
d8           14.06974       6.46875       1.26274
d14           2.81117      11.05626      13.86156
d16           3.12073       3.10223       1.89427
d20           0.38681       0.40648       0.41649
単レンズデータ
レンズ  レンズ面       ｆ
1       1 -  2     27.0032
2       2 -  3    -88.8217
3       4 -  5     -7.9619
4       6 -  7     17.5939
5       7 -  8    -15.6033
6      10 - 11      6.7905
7      12 - 13      7.4851
8      13 - 14     -3.5678
9      15 - 16     14.7734
10      17 - 18       ∞   
11      19 - 20       ∞   
ズームレンズ群データ
群      始面        焦点距離
1        1          37.87962    
2        4          -7.33747      
3        9          10.10424     
4       15          14.77340      
【０１６６】
数値実施例８
単位  mm
面データ
面番号       r            d              nd         νd     有効半径
物面        ∞            ∞   
1         25.6405       4.2000        1.58913       61.14    9.312
2*       -31.4271       0.1000        1.63419       23.39    8.788
3*      -121.4819       可変                                 8.600
4*       466.2770       0.8000        1.85135       40.10    6.641
5*         6.2001       3.1940                               4.899
6       -144.1358       1.7176        1.94595       17.98    4.850
7        -13.9448       0.7000        1.74320       49.34    4.844
8*       135.0549       可変                                 4.772
9(絞り)     ∞          0.                                   2.065
10*        4.8621       2.6443        1.59201       67.02    2.203
11*      -21.2524       0.1010                               2.133
12         7.3526       1.7622        1.49700       81.54    2.094
13        -6.1516       0.4187        1.62004       36.26    1.978
14         3.4116       可変                                 1.889
15*       35.3139       4.0519        1.52542       55.78    5.225
16*       -9.9116       可変                                 5.400
17          ∞          0.4000        1.51633       64.14    4.257
18          ∞          0.5000                               4.239
19          ∞          0.5000        1.51633       64.14    4.207
20          ∞          可変                                 4.185
像面        ∞                                   
非球面データ
第２面
K=0.1816
A4=2.4275E-05,A6=1.5552E-07,A8=-1.2323E-09,A10=-5.5582E-14,A12=-1.5183E-14
第３面
K=0
A4=8.1025E-06,A6=5.0730E-09,A8=-2.1711E-13,A10=-9.2625E-13
第４面
K=0
A4=-9.5505E-05,A6=3.1085E-06,A8=-5.6103E-08,A10=-4.1540E-12,A12=4.9459E-12
第５面
K=0
A4=-1.1430E-05,A6=4.6127E-06,A8=3.1134E-07,A10=9.1662E-09,A12=-9.5412E-10
第８面
K=0
A4=-2.9611E-04,A6=-4.9393E-06,A8=-2.1103E-07,A10=1.0337E-08,A12=-8.2485E-11
第１０面
K=0
A4=-4.1069E-04,A6=-4.3482E-06,A8=1.2134E-05,A10=-2.2848E-06,A12=1.8506E-07
第１１面
K=0
A4=8.8913E-04,A6=5.0547E-05,A8=3.0961E-06,A10=-1.0022E-07,A12=5.9925E-08
第１５面
K=0
A4=-3.7979E-04,A6=8.7055E-06
第１６面
K=0
A4=-4.0106E-04,A6=1.1291E-05
ズームデータ
ズーム比     9.6231
広角          中間          望遠
ｆ            5.05222      15.64959      48.61822
Ｆｎｏ．      3.45733       5.46433       6.00000
２ω(°)     80.71         27.48          8.98   
像高          3.83000       3.83000       3.83000
レンズ全長   43.13626      51.50150      58.63074
ＢＦ          4.47762       4.08351       3.18962
入射瞳位置   11.38354      28.92685      93.04792 
射出瞳位置  -18.90604     306.57010      94.53752 
d3            0.30000       8.95746      20.83110
d8           15.54135       7.00824       1.14616
d14           3.12752      11.76251      13.77409
d16           2.99646       2.58029       1.67884
d20           0.38762       0.40968       0.41724
単レンズデータ
レンズ  レンズ面       ｆ
1       1 -  2     24.6402
2       2 -  3    -66.8771
3       4 -  5     -7.3867
4       6 -  7     16.2166
5       7 -  8    -16.9732
6      10 - 11      6.9453
7      12 - 13      7.0443
8      13 - 14     -3.4810
9      15 - 16     15.1990
10      17 - 18       ∞   
11      19 - 20       ∞   
ズームレンズ群データ
群      始面        焦点距離
1        1          37.69836   
2        4          -7.63637     
3        9          10.59192     
4       15          15.19898     
【０１６７】
以下、各実施例の条件式対応値を掲げる。
ここで、
条件式（１−１）、（１−２）をまとめて条件式（１）とし、
条件式（２−１）、（２−２）をまとめて条件式（２）とし、
条件式（３−１）、（３−２）をまとめて条件式（３）とし、
条件式（４−１）、（４−２）をまとめて条件式（４）とし、
条件式（５−１）、（５−２）をまとめて条件式（５）とし、
条件式（６−１）、（６−２）をまとめて条件式（６）としている。
Tｇ１／Ｆｌｔ   θgF       ｎd1     νd1      θhg     ｎd2      νd2
条件式     (１)      (２),(５)     (３)     (４)      (６)     (７)      (８)
実施例１    0.0818      0.6684    1.63387    23.38    0.6351   1.74320   49.34
実施例２    0.0814      0.6684    1.63387    23.38    0.6351   1.74320   49.34
実施例３    0.0813      0.6103    1.63419    23.39    0.5487   1.74320   49.34
実施例４    0.0813      0.6306    1.63408    23.39    0.5825   1.74320   49.34
実施例５    0.0818      0.6494    1.63399    23.39    0.6153   1.74320   49.34
実施例６    0.081       0.6684    1.63387    23.38    0.6351   1.78800   47.37
実施例７    0.0884      0.6684    1.63387    23.38    0.6349   1.58913   61.14
実施例８    0.0884      0.6103    1.63419    23.39    0.5486   1.58913   61.14
【０１６８】
さて、以上のような本発明の結像光学系は、物体の像をＣＣＤやＣＭＯＳなどの電子撮像素子で撮影する撮影装置、とりわけデジタルカメラやビデオカメラ、情報処理装置の例であるパソコン、電話、携帯端末、特に持ち運びに便利な携帯電話等に用いることができる。以下に、その実施形態を例示する。
【０１６９】
図１７〜図１９に本発明による結像光学系をデジタルカメラの撮影光学系４１に組み込んだ構成の概念図を示す。図１７はデジタルカメラ４０の外観を示す前方斜視図、図１８は同後方斜視図、図１９はデジタルカメラ４０の光学構成を示す断面図である。
【０１７０】
デジタルカメラ４０は、この例の場合、撮影用光路４２を有する撮影光学系４１、ファインダー用光路４４を有するファインダー光学系４３、シャッター４５、フラッシュ４６、液晶表示モニター４７等を含む。そして、撮影者が、カメラ４０の上部に配置されたシャッター４５を押圧すると、それに連動して撮影光学系４１、例えば実施例１のズームレンズ４８を通して撮影が行われる。
【０１７１】
撮影光学系４１によって形成された物体像は、ＣＣＤ４９の撮像面上に形成される。このＣＣＤ４９で受光された物体像は、画像処理手段５１を介し、電子画像としてカメラ背面に設けられた液晶表示モニター４７に表示される。また、この画像処理手段５１にはメモリ等が配置され、撮影された電子画像を記録することもできる。なお、このメモリは画像処理手段５１と別体に設けてもよいし、フレキシブルディスクやメモリーカード、ＭＯ等により電子的に記録書込を行うように構成してもよい。
【０１７２】
さらに、ファインダー用光路４４上には、ファインダー用対物光学系５３が配置されている。このファインダー用対物光学系５３は、カバーレンズ５４、第１プリズム１０、開口絞り２、第２プリズム２０、フォーカス用レンズ６６からなる。このファインダー用対物光学系５３によって、結像面６７上に物体像が形成される。この物体像は、像正立部材であるポロプリズム５５の視野枠５７上に形成される。このポロプリズム５５の後方には、正立正像にされた像を観察者眼球Eに導く接眼光学系５９が配置されている。
【０１７３】
このように構成されたデジタルカメラ４０によれば、光学系の小型化・薄型化の達成及び色収差を中心とした諸収差の良好な補正の達成を両立できる撮影光学系４１を有する電子撮像装置が実現できる。なお、本発明は、上述した沈胴式のデジタルカメラに限られず、屈曲光学系を採用する折り曲げ式のデジタルカメラにも適用できる。
【０１７４】
次に、本発明の結像光学系が対物光学系として内蔵された情報処理装置の一例であるパソコンを図２０〜図２２に示す。図２０はパソコン３００のカバーを開いた状態の前方斜視図、図２１はパソコン３００の撮影光学系３０３の断面図、図２２は図２０の側面図である。図２０〜図２２に示されるように、パソコン３００は、キーボード３０１と、情報処理手段や記録手段と、モニター３０２と、撮影光学系３０３とを有している。
【０１７５】
ここで、キーボード３０１は、外部から操作者が情報を入力するためのものである。情報処理手段や記録手段は、図示を省略している。モニター３０２は、情報を操作者に表示するためのものである。撮影光学系３０３は、操作者自身や周辺の像を撮影するためのものである。モニター３０２は、液晶表示素子やＣＲＴディスプレイ等であってよい。液晶表示素子としては、図示しないバックライトにより背面から照明する透過型液晶表示素子や、前面からの光を反射して表示する反射型液晶表示素子がある。また、図中、撮影光学系３０３は、モニター３０２の右上に内蔵されているが、その場所に限らず、モニター３０２の周囲や、キーボード３０１の周囲のどこであってもよい。
【０１７６】
この撮影光学系３０３は、撮影光路３０４上に、例えば実施例１のズームレンズからなる対物光学系１００と、像を受光する電子撮像素子チップ１６２とを有している。これらはパソコン３００に内蔵されている。
【０１７７】
鏡枠の先端には、対物光学系１００を保護するためのカバーガラス１０２が配置されている。
電子撮像素子チップ１６２で受光された物体像は、端子１６６を介して、パソコン３００の処理手段に入力される。そして、最終的に、物体像は電子画像としてモニター３０２に表示される、図２０には、その一例として、操作者が撮影した画像３０５が示されている。また、この画像３０５は、処理手段を介し、遠隔地から通信相手のパソコンに表示されることも可能である。遠隔地への画像伝達は、インターネットや電話を利用する。
【０１７８】
次に、本発明の結像光学系が撮影光学系として内蔵された情報処理装置の一例である電話、特に持ち運びに便利な携帯電話を図２３に示す。図２３（a）は携帯電話４００の正面図、図２３（b）は側面図、図２３（c）は撮影光学系４０５の断面図である。図２３（a）〜（c）に示されるように、携帯電話４００は、マイク部４０１と、スピーカ部４０２と、入力ダイアル４０３と、モニター４０４と、撮影光学系４０５と、アンテナ４０６と、処理手段とを有している。
【０１７９】
ここで、マイク部４０１は、操作者の声を情報として入力するためのものである。スピーカ部４０２は、通話相手の声を出力するためのものである。入力ダイアル４０３は、操作者が情報を入力するためのものである。モニター４０４は、操作者自身や通話相手等の撮影像や、電話番号等の情報を表示するためのものである。アンテナ４０６は、通信電波の送信と受信を行うためのものである。処理手段（不図示）は、画像情報や通信情報、入力信号等の処理を行ためのものである。
【０１８０】
ここで、モニター４０４は液晶表示素子である。また、図中、各構成の配置位置、特にこれらに限られない。この撮影光学系４０５は、撮影光路４０７上に配された対物光学系１００と、物体像を受光する電子撮像素子チップ１６２とを有している。対物光学系１００としては、例えば実施例１のズームレンズが用いられる。これらは、携帯電話４００に内蔵されている。
【０１８１】
鏡枠の先端には、対物光学系１００を保護するためのカバーガラス１０２が配置されている。
電子撮影素子チップ１６２で受光された物体像は、端子１６６を介して、図示していない画像処理手段に入力される。そして、最終的に物体像は、電子画像としてモニター４０４に、又は、通信相手のモニターに、又は、両方に表示される。また、処理手段には信号処理機能が含まれている。通信相手に画像を送信する場合、この機能により、電子撮像素子チップ１６２で受光された物体像の情報を、送信可能な信号へと変換する。
【０１８２】
なお、本発明は、その趣旨を逸脱しない範囲で様々な変形例をとることができる。
【図面の簡単な説明】
【０１８３】
【図１】本発明の実施例１にかかるズームレンズの（ａ）は広角端、（ｂ）は中間、（ｃ）は望遠端における無限遠物点合焦時の光学構成を示す光軸に沿う断面図である。
【図２】実施例１にかかるズームレンズの無限遠物点合焦時における球面収差、非点収差、歪曲収差、倍率色収差を示す図であり、（a）は広角端、（b）は中間、（c）は望遠端での状態を示している。
【図３】本発明の実施例２にかかるズームレンズの（ａ）は広角端、（ｂ）は中間、（ｃ）は望遠端における無限遠物点合焦時の光学構成を示す光軸に沿う断面図である。
【図４】実施例２にかかるズームレンズの無限遠物点合焦時における球面収差、非点収差、歪曲収差、倍率色収差を示す図であり、（a）は広角端、（b）は中間、（c）は望遠端での状態を示している。
【図５】本発明の実施例３にかかるズームレンズの（ａ）は広角端、（ｂ）は中間、（ｃ）は望遠端における無限遠物点合焦時の光学構成を示す光軸に沿う断面図である。
【図６】実施例３にかかるズームレンズの無限遠物点合焦時における球面収差、非点収差、歪曲収差、倍率色収差を示す図であり、（a）は広角端、（b）は中間、（c）は望遠端での状態を示している。
【図７】本発明の実施例４にかかるズームレンズの（ａ）は広角端、（ｂ）は中間、（ｃ）は望遠端における無限遠物点合焦時の光学構成を示す光軸に沿う断面図である。
【図８】実施例４にかかるズームレンズの無限遠物点合焦時における球面収差、非点収差、歪曲収差、倍率色収差を示す図であり、（a）は広角端、（b）は中間、（c）は望遠端での状態を示している。
【図９】本発明の実施例５にかかるズームレンズの（ａ）は広角端、（ｂ）は中間、（ｃ）は望遠端における無限遠物点合焦時の光学構成を示す光軸に沿う断面図である。
【図１０】実施例５にかかるズームレンズの無限遠物点合焦時における球面収差、非点収差、歪曲収差、倍率色収差を示す図であり、（a）は広角端、（b）は中間、（c）は望遠端での状態を示している。
【図１１】本発明の実施例６にかかるズームレンズの（ａ）は広角端、（ｂ）は中間、（ｃ）は望遠端における無限遠物点合焦時の光学構成を示す光軸に沿う断面図である。
【図１２】実施例６にかかるズームレンズの無限遠物点合焦時における球面収差、非点収差、歪曲収差、倍率色収差を示す図であり、（a）は広角端、（b）は中間、（c）は望遠端での状態を示している。
【図１３】本発明の実施例７にかかるズームレンズの（ａ）は広角端、（ｂ）は中間、（ｃ）は望遠端における無限遠物点合焦時の光学構成を示す光軸に沿う断面図である。
【図１４】実施例７にかかるズームレンズの無限遠物点合焦時における球面収差、非点収差、歪曲収差、倍率色収差を示す図であり、（a）は広角端、（b）は中間、（c）は望遠端での状態を示している。
【図１５】本発明の実施例８にかかるレンズの無限遠物点合焦時の光学構成を示す光軸に沿う断面図である。
【図１６】実施例８にかかるレンズの無限遠物点合焦時における球面収差、非点収差、歪曲収差、倍率色収差を示す図である。
【図１７】本発明によるズーム光学系を組み込んだデジタルカメラ４０の外観を示す前方斜視図である。
【図１８】デジタルカメラ４０の後方斜視図である。
【図１９】デジタルカメラ４０の光学構成を示す断面図である。
【図２０】本発明のズーム光学系が対物光学系として内蔵された情報処理装置の一例であるパソコン３００のカバーを開いた状態の前方斜視図である。
【図２１】パソコン３００の撮影光学系３０３の断面図である。
【図２２】パソコン３００の側面図である。
【図２３】本発明のズーム光学系が撮影光学系として内蔵された情報処理装置の一例である携帯電話を示す図であり、（a）は携帯電話４００の正面図、（b）は側面図、（c）は撮影光学系４０５の断面図である。
【符号の説明】
【０１８４】
Ｇ１          第１レンズ群
Ｇ２          第２レンズ群
Ｇ３          第３レンズ群
Ｇ４          第４レンズ群
Ｇ５          第５レンズ群
Ｌ１〜Ｌ１８        各レンズ
ＬＰＦ        ローパスフィルタ
ＣＧ          カバーガラス
Ｉ            撮像面
Ｅ            観察者の眼球
４０          デジタルカメラ
４１          撮影光学系
４２          撮影用光路
４３          ファインダー光学系
４４          ファインダー用光路
４５          シャッター
４６          フラッシュ
４７          液晶表示モニター
４８          ズームレンズ
４９          ＣＣＤ
５０          撮像面
５１          処理手段
５３          ファインダー用対物光学系
５５          ポロプリズム
５７          視野枠
５９          接眼光学系
６６          フォーカス用レンズ
６７          結像面
１００        対物光学系
１０２        カバーガラス
１６２        電子撮像素子チップ
１６６        端子
３００        パソコン
３０１        キーボード
３０２        モニター
３０３        撮影光学系
３０４        撮影光路
３０５        画像
４００        携帯電話
４０１        マイク部
４０２        スピーカ部
４０３        入力ダイアル
４０４        モニター
４０５        撮影光学系
４０６        アンテナ
４０７        撮影光路
【図１】
2010107573.tif 000003
【図２】
2010107573.tif 000004
【図３】
2010107573.tif 000005
【図４】
2010107573.tif 000006
【図５】
2010107573.tif 000007
【図６】
2010107573.tif 000008
【図７】
2010107573.tif 000009
【図８】
2010107573.tif 000010
【図９】
2010107573.tif 000011
【図１０】
2010107573.tif 000012
【図１１】
2010107573.tif 000013
【図１２】
2010107573.tif 000014
【図１３】
2010107573.tif 000015
【図１４】
2010107573.tif 000016
【図１５】
2010107573.tif 000017
【図１６】
2010107573.tif 000018
【図１７】
2010107573.tif 000019
【図１８】
2010107573.tif 000020
【図１９】
2010107573.tif 000021
【図２０】
2010107573.tif 000022
【図２１】
2010107573.tif 000023
【図２２】
2010107573.tif 000024
【図２３】
2010107573.tif 000025